(57)【要約】【課題】大量の情報を送信可能なコネクタユニット装置を提供すること。【解決手段】レセプタクルコネクタユニット装置１００は、複数のレセプタクルコネクタ１０２であって、それぞれプラグコネクタ５２が接続可能に構成されたレセプタクルコネクタ１０２と、複数のレセプタクルコネクタ１０２を一体に固定する基部１０１と、を備え、プラグコネクタ５２を複数備えるプラグコネクタユニット装置５０の複数のプラグコネクタ５２が複数のレセプタクルコネクタ１０２に接続可能に構成され、かつ、プラグコネクタ５２を１つ備えるプラグコネクタ装置５０Ａのプラグコネクタ５２が複数のレセプタクルコネクタ１０２のうちの１つに接続可能である。【選択図】      図７
2019220392.tif 000002
【特許請求の範囲】
【請求項１】
複数の第１のコネクタであって、それぞれ第２のコネクタが接続可能に構成された第１のコネクタと、
前記複数の第１のコネクタを一体に固定する固定部と、
を具備し、
前記第２のコネクタを複数備える第２のコネクタユニット装置の前記複数の第２のコネクタが前記複数の第１のコネクタに接続可能に構成され、かつ、前記第２のコネクタを１つ備える第２のコネクタ装置の前記第２のコネクタが前記複数の第１のコネクタのうちの１つに接続可能なコネクタユニット装置。
【請求項２】
前記複数の第１のコネクタは、一方向に並び、かつ、隣接するいずれか２つの間の距離が、前記いずれか２つの一方に前記第２のコネクタ装置を接続可能な距離に設定され、
前記一方の第１のコネクタに、前記第２のコネクタ装置の前記第２のコネクタが前記一方の第１のコネクタに接続された状態において前記第２のコネクタ装置が有する第２の係合部が係合される第１の係合部が設けられる
請求項１に記載のコネクタユニット装置。
【請求項３】
操作部と、
伝達部と、
を具備し、
前記一方の第１のコネクタは、並び方向に一端に配置され、
前記第１のコネクタは、
並んで配置された複数の第１のコンタクトと、
前記複数のコンタクトに沿って配置されたシャフトと、
前記シャフトに設けられ、前記シャフトが回転することにより、前記複数の第１のコンタクトの、前記第２のコネクタの第２のコンタクトに接触する状態と、この接触が解除された状態と、を切り替えるカムと、
を具備し、
前記操作部は、前記一方の第１のコネクタの前記シャフトに設けられ、かつ、前記シャフトの軸方向に交差する方向に延びるレバー状に構成され、
前記伝達部は、前記一方の第１のコネクタの前記シャフトの回転を、他の第１のコネクタの前記シャフトに伝達する
請求項２に記載のコネクタユニット装置。
【請求項４】
前記伝達部は、
前記一方の第１のコネクタの前記シャフトに設けられた第１の歯車と、
他の前記第１のコネクタのシャフトに設けられ、前記第１の歯車の回転が伝達される第２の歯車と、
を具備する請求項３に記載のコネクタユニット装置。
【請求項５】
前記伝達部は、前記第１の歯車及び前記第２の歯車の間に配置され、前記第１の歯車の回転を前記第２の歯車に伝達する第３の歯車を具備する
請求項４に記載のコネクタユニット装置。
【発明の詳細な説明】
【技術分野】
【０００１】
本発明は、コネクタユニット装置に関する。
【背景技術】
【０００２】
プローブ及び超音波診断装置本体等の、信号の送受信を行う２つの装置を電気的に接続するコネクタシステムが知られている。この種のコネクタシステムは、一方に設けられたプラグコネクタ、及び他方に設けられたレセプタクルコネクタを有している。
【０００３】
プローブ及び超音波診断装置本体を有する超音波診断装置では、プラグコネクタはプローブに設けられており、レセプタクルコネクタは超音波診断装置本体に設けられている。プラグコネクタがレセプタクルコネクタに接続されると、プローブ及び超音波診断装置本体が接続される。（例えば、特許文献１参照。）。
【先行技術文献】
【特許文献】
【０００４】
【特許文献１】特許第５７９６１１１号明細書
【発明の概要】
【発明が解決しようとする課題】
【０００５】
このように、コネクタシステムは、大量の情報を受信可能に構成されることが求められている。
【０００６】
この為、本発明は、大量の情報を受信可能なコネクタユニット装置を提供することを目的とする。
【課題を解決するための手段】
【０００７】
本発明のコネクタユニット装置は、複数の第１のコネクタであって、それぞれ第２のコネクタが接続可能に構成された第１のコネクタと、前記複数の第１のコネクタを一体に固定する固定部と、を備え、前記第２のコネクタを複数備える第２のコネクタユニット装置の前記複数の第２のコネクタが前記複数の第１のコネクタに接続可能に構成され、かつ、前記第２のコネクタを１つ備える第２のコネクタ装置の前記第２のコネクタが前記複数の第１のコネクタのうちの１つに接続可能である。
【発明の効果】
【０００８】
本発明によれば、大量の情報を送受信可能なコネクタユニット装置を提供できる。
【図面の簡単な説明】
【０００９】
【図１】図１は、本発明の一実施形態に係るコネクタシステムを有する超音波診断装置の構成を示す斜視図。
【図２】図２は、同コネクタシステムに用いられるレセプタクルコネクタユニット装置が設けられる超音波診断装置本体の制御系の構成を示す概略図。
【図３】図３は、同コネクタシステム及びその近傍を拡大して示す斜視図。
【図４】図４は、同コネクタシステムに用いられるプラグコネクタユニット装置がレセプタクルコネクタユニット装置から分離された状態を示す斜視図。
【図５】図５は、図４に示すＦ５−Ｆ５線断面に沿ってコネクタシステムを切断した状態を示す断面図。
【図６】図６は、外郭部材が取り外された同プラグコネクタユニット装置を示す斜視図。
【図７】図７は、外郭部材が取り外された同プラグコネクタユニット装置が分解された状態を示す斜視図。
【図８】図８は、外郭部材が取り外された同プラグコネクタユニット装置を、奥行き方向に直交する断面に沿って切断した状態を示す断面図。
【図９】図９は、同プラグコネクタユニット装置の奥行き方向の端部を示す斜視図。
【図１０】図１０は、コネクタシステムに用いられるプラグコネクタ装置が同レセプタクルコネクタユニット装置に接続された状態を、図５と同様に切断して示す断面図。
【図１１】図１１は、同プラグコネクタ装置の奥行き方向の端部を示す斜視図。
【図１２】図１２は、同レセプタクルコネクタユニット装置を示す斜視図。
【図１３】図１３は、同レセプタクルコネクタユニット装置が分解された状態を示す斜視図。
【図１４】図１４は、同レセプタクルコネクタユニット装置を図１２に示すＦ１４−Ｆ１４線断面に沿って切断した状態を示す断面図。
【図１５】図１５は、同レセプタクルコネクタユニット装置を図１２に示すＦ１５−Ｆ１５線断面に沿って切断した状態を示す断面図。
【図１６】図１６は、同レセプタクルコネクタユニット装置に用いられる第１のシャフトアッセンブリの構成を示す斜視図。
【図１７】図１７は、同レセプタクルコネクタユニット装置に同プラグコネクタユニット装置が接続された状態を示す断面図。
【図１８】図１８は、同レセプタクルコネクタユニット装置に同プラグコネクタユニット装置が接続され、複数のレセプタクルコンタクトが複数のプラグコンタクトに接触された状態を示す断面図。
【図１９】図１９は、同レセプタクルコネクタユニット装置のフックの動作を説明する図。
【図２０】図２０は、同プラグコネクタユニット装置、または、同プラグコネクタ装置が、同レセプタクルコネクタ装置に接続された状態での、キー及び溝を示す断面図。
【図２１】図２１は、同プラグコネクタユニット装置、または、同プラグコネクタ装置が、所定の姿勢以外の姿勢で同レセプタクルコネクタユニット装置に接続するべく操作されたときのキー及び溝を示す断面図。
【発明を実施するための形態】
【００１０】
本発明の一実施形態に係るコネクタシステム１０を、図１乃至図２１を用いて説明する。図１は、コネクタシステム１０を有する超音波診断装置１の構成を示す斜視図である。図２は、超音波診断装置１の超音波診断装置本体２の制御系の構成を示す概略図である。図３は、コネクタシステム１０及びその近傍を拡大して示す斜視図である。図４は、コネクタシステム１０に用いられるプラグコネクタユニット装置５０がレセプタクルコネクタユニット装置１００から分離された状態を示す斜視図である。
【００１１】
図５は、図４に示すＦ５−Ｆ５線断面に沿ってコネクタシステム１０を切断した状態を示す断面図である。図６は、外郭部材５１が取り外されたプラグコネクタユニット装置５０を示す斜視図である。図７は、外郭部材５１が取り外されたプラグコネクタユニット装置５０が分解された状態を示す斜視図である。
【００１２】
図８は、外郭部材５１が取り外されたプラグコネクタユニット装置５０を、奥行き方向Ｄ１に直交する断面に沿って切断した状態を示す断面図である。図９は、プラグコネクタユニット装置５０の奥行き方向Ｄ１の端部を示す斜視図。図１０は、コネクタシステム１０に用いられるプラグコネクタ装置５０Ａがレセプタクルコネクタユニット装置１００に接続された状態を、図５と同様に切断して示す断面図である。
【００１３】
図１１は、プラグコネクタ装置５０Ａの奥行き方向Ｄ１の端部を示す斜視図である。図１２は、レセプタクルコネクタユニット装置１００を示す斜視図である。図１３は、レセプタクルコネクタユニット装置１００が分解された状態を示す斜視図。図１４は、レセプタクルコネクタユニット装置１００を図１２に示すＦ１４−Ｆ１４線断面に沿って切断した状態を示す断面図である。
【００１４】
図１５は、レセプタクルコネクタユニット装置１００を図１２に示すＦ１５−Ｆ１５線断面に沿って切断した状態を示す断面図である。図１６は、レセプタクルコネクタユニット装置１００に用いられる第１のシャフトアッセンブリ１１０の構成を示す斜視図である。図１７は、レセプタクルコネクタユニット装置１００にプラグコネクタユニット装置５０が接続された状態を示す断面図である。
【００１５】
図１８は、レセプタクルコネクタユニット装置１００にプラグコネクタユニット装置５０が接続され、複数のレセプタクルコンタクト１０６ａが複数のプラグコンタクト７０に接触された状態を示す断面図である。図１９は、レセプタクルコネクタユニット装置１００のフック１１４の動作を説明する図である。図２０は、プラグコネクタユニット装置５０、または、プラグコネクタ装置５０Ａが接続された状態での、キー及び溝を示す断面図である。図２１は、プラグコネクタユニット装置５０、または、プラグコネクタ装置５０Ａが、所定の姿勢以外の姿勢で同レセプタクルコネクタユニット装置に接続するべく操作されたときのキー５３ｅ及び溝１０５ｂを示す断面図である。
【００１６】
コネクタシステム１０は、２つの装置を電気的に接続可能に構成されている。コネクタシステム１０は、一例として、超音波診断装置１に用いられる超音波診断装置本体２、及びプローブ３を電気的に接続する。
【００１７】
図１乃至図３に示すように、超音波診断装置１は、超音波診断装置本体２と、例えば複数のプローブ３と、コネクタシステム１０と、を有している。  
超音波診断装置本体２は、プローブ３へ信号を出力する機能、及び、プローブ３からの信号を受信し、この受信した信号を処理する機能を有している。超音波診断装置本体２は、具体的には、筐体４と、制御部５と、レセプタクルコネクタユニット装置１００が固定された基板６と、モニタ７と、を有している。
【００１８】
筐体４は、基板６、及び制御部５を内部に収容する。筐体４の外面の一部には、レセプタクルコネクタユニット装置１００に、外部から、プラグコネクタユニット装置５０またはプラグコネクタ装置５０Ａを接続可能な孔４ａが形成されている。孔４ａは、本実施形態では、水平方向に並んでいる。
【００１９】
制御部５は、プローブ３へ、コネクタシステム１０を介して信号を出力可能に構成されている。また、制御部５は、プローブ３からコネクタシステム１０を介して受信し、かつ、受信した信号を処理可能に構成されている。制御部５は、プローブ３から受信した信号の処理結果を、モニタ７に表示可能に構成されている。
【００２０】
基板６は、複数のレセプタクルコネクタユニット装置１００が固定されている。また、基板６には、制御部５及び複数のレセプタクルコネクタユニット装置１００を電気的に接続する回路６ａが構成されている。回路６ａは、制御部５と各レセプタクルコネクタ１０２との間で相互に信号を伝達可能に構成されている。なお、回路６ａは、１つの基板６上にのみ構成されることに限定されない。回路６ａは、複数の基板６により構成されてもよい。
【００２１】
回路６ａは、レセプタクルコネクタユニット装置１００にプラグコネクタユニット装置５０が接続された場合、及び、レセプタクルコネクタユニット装置１００にプラグコネクタ装置５０Ａが接続された場合であっても、動作可能に構成されている。
【００２２】
すなわち、プラグコネクタユニット装置５０は、複数のプラグコネクタ５２を有しており、プラグコネクタ装置５０Ａは、１つのプラグコネクタ５２を有している。回路６ａは、レセプタクルコネクタユニット装置１００に１つのプラグコネクタ５２のみが接続された状態、及び２つのプラグコネクタ５２が接続された状態のそれぞれで、動作可能に構成される。
【００２３】
なお、本実施形態では、レセプタクルコネクタユニット装置１００が有する複数のレセプタクルコネクタ１０２のうちの１つは、プラグコネクタ装置５０Ａが接続される専用となっている。回路６ａは、この、プラグコネクタ装置５０Ａが接続される専用のレセプタクルコネクタ１０２にプラグコネクタ装置５０Ａが接続された場合、及び、レセプタクルコネクタユニット装置１００の複数のレセプタクルコネクタ１０２にプラグコネクタユニット装置５０の複数のプラグコネクタ５２が接続された場合のそれぞれで、適切に動作可能に構成されている。
【００２４】
モニタ７は、例えば筐体４上に設置されている。モニタ７は、制御部５の制御により、画像を表示可能に構成されている。
【００２５】
プローブ３は、作業者により操作可能に構成されている。プローブ３は、制御部５の制御により、駆動が制御される。プローブ４０は、複数の振動子を有しており、この振動子により、超音波を発信可能に、かつ、反射してプローブ４０に戻った超音波を検出可能に構成されている。プローブ４０は、検出結果に基づいた信号を出力する。プローブ３は、コネクタシステム１０の後述するプラグコネクタユニット装置５０、または、プラグコネクタ装置５０Ａの一方が設けられている。
【００２６】
コネクタシステム１０は、プローブ３に設けられたプラグコネクタユニット装置５０と、超音波診断装置本体２に設けられたレセプタクルコネクタユニット装置１００（プラグコネクタユニット装置）と、を有している。本実施形態では、コネクタシステム１０は、さらに、プローブ３に設けられたプラグコネクタ装置５０Ａ（第２のプラグコネクタ装置）を有している。プラグコネクタユニット装置５０は、一例として、複数設けられている。プラグコネクタ装置５０Ａは、一例として、１つ設けられている。レセプタクルコネクタユニット装置１００は、一例として、複数設けられている。
【００２７】
図４乃至図９に示すように、プラグコネクタユニット装置５０は、レセプタクルコネクタユニット装置１００に着脱可能に構成される。プラグコネクタユニット装置５０は、プラグコネクタユニット装置５０の外郭の一部を構成する外郭部材５１と、外郭部材５１が固定された複数のプラグコネクタ（第２のコネクタ）５２と、を有している。
【００２８】
本実施形態では、プラグコネクタユニット装置５０について、複数のプラグコネクタ５２が並ぶ方向を幅方向Ｗ１とし、幅方向Ｗ１に直交する方向のうち１つの方向を奥行き方向Ｄ１とし、幅方向及び奥行き方向に直交する方向を上下方向Ｈ１とする。上下方向Ｈ１においては、プラグコネクタユニット装置５０が後述するレセプタクルコネクタユニット装置１００に接続されたときにプラグコネクタユニット装置５０に対してレセプタクルコネクタユニット装置１００が配置される側を下とし、その反対側を上とする。なお、プラグコネクタユニット装置５０に設定された上述の方向は、一例であり、限定されるものではない。
【００２９】
外郭部材５１は、使用者がプラグコネクタユニット装置５０をレセプタクルコネクタユニット装置１００に挿入する際に把持可能な部分である。外郭部材５１は、図４及び図５に示すように、上部が閉塞された筒状に形成されており、一例としては矩形の筒状に形成されている。外郭部材５１は、例えば樹脂を材料として形成されている。外郭部材５１は、内部に複数のプラグコネクタ５２を収容する。
【００３０】
外郭部材５１は、図５に示すように、プラグコネクタユニット装置５０がレセプタクルコネクタユニット装置１００に接続されたときに、レセプタクルコネクタユニット装置１００の一部を収容する。この一部は、レセプタクルコネクタユニット装置１００の後述するレセプタクルハウジング１０５の上端部である。
【００３１】
プラグコネクタユニット装置５０がレセプタクルコネクタユニット装置１００に接続された状態では、プラグコネクタユニット装置５０のプラグハウジング５３の下端部が、レセプタクルコネクタユニット装置１００のレセプタクルハウジング１０５内に収容される。この為、レセプタクルハウジング１０５の上端部が、外郭部材５１内に収容されることとなる。
【００３２】
外郭部材５１の開口の近傍の内面は、プラグコネクタユニット装置５０との間には、隙間Ｓ１を有している。隙間Ｓ１は、レセプタクルコネクタユニット装置１００の一部が外郭部材５１内に収容されたときに、この一部を配置可能な隙間である。
【００３３】
なお、本実施形態では、プラグコネクタユニット装置５０またはプラグコネクタ装置５０Ａがレセプタクルコネクタユニット装置１００に接続された状態とは、プラグコネクタユニット装置５０またはプラグコネクタ装置５０Ａが、レセプタクルコネクタユニット装置１００に差し込まれて、それぞれのコンタクトが接触した状態である。
【００３４】
図６乃至図８に示すように、プラグコネクタ５２は、一例として、２つ設けられている。換言すると、２つのプラグコネクタ５２は、それぞれの一部が外郭部材５１内に収容された状態で、外郭部材５１が固定される。
【００３５】
プラグコネクタ５２は、プラグハウジング５３と、複数のプラグコネクタアッセンブリ５４と、を有している。  
プラグハウジング５３は、一例として、２つのプラグコネクタ５２に共通して用いられる。換言すると、プラグハウジング５３の一部は、一方のプラグコネクタ５２のハウジングとして機能し、他部は、他方のプラグコネクタ５２のハウジングとして機能する。
【００３６】
プラグハウジング５３は、例えば矩形の筒状、すなわち外観が略直方体状となる筒状の外郭体５３ａと、外郭体５３ａ内を複数の空間に仕切る第１の仕切壁部５３ｂと、を有している。
【００３７】
第１の仕切壁部５３ｂは、外郭体５３ａ内を、プラグコネクタユニット装置５０が有するプラグコネクタ５２の数と同数の空間に仕切る。本実施形態では、プラグコネクタユニット装置５０が、２つのプラグコネクタ５２を有することから、第１の仕切壁部５３ｂは、１つ設けられている。
【００３８】
外郭体５３ａの内面、及び第１の仕切壁部５３ｂの外面とは、プラグコネクタ５２が有するプラグコネクタアッセンブリ５４を収容し、保持する収容部Ｒ１を構成している。
【００３９】
一方の収容部Ｒ１は、一方のプラグコネクタ５２のプラグコネクタアッセンブリ５４を収容し、保持する。他方の収容部Ｒ１は、他方のプラグコネクタ５２のプラグコネクタアッセンブリ５４を収容し、保持する。
【００４０】
収容部Ｒ１内には、収容部Ｒ１内を幅方向Ｗ１で複数のアッセンブリ収容部Ｒ３に仕切る第２の仕切壁部５３ｃが設けられている。アッセンブリ収容部Ｒ３は、プラグコネクタアッセンブリ５４を収容し、保持可能に構成される。本実施形態では、プラグコネクタアッセンブリ５４は、一例として２つ用いられることから、収容部Ｒ１内には、２つのアッセンブリ収容部Ｒ３が設けられている。
【００４１】
第２の仕切壁部５３ｃは、本実施形態では、収容部Ｒ１の下端から上下方向Ｈ１の中途部までの範囲に形成されている。この為、隣接する２つのアッセンブリ収容部Ｒ３は、収容部Ｒ１の上部で連通する。
【００４２】
また、図９に示すように、プラグハウジング５３の外面のうち、奥行き方向Ｄ１の両端面には、突出部５３ｄが設けられている。突出部５３ｄは、端面に対して、奥行き方向Ｄ１に突出している。
【００４３】
突出部５３ｄは、本実施形態では一例として、１つのプラグコネクタアッセンブリ５４に対して、１つ設けられており、１つのプラグコネクタアッセンブリ５４に対して奥行き方向Ｄ１に並んでいる。
【００４４】
本実施形態では、１つのプラグコネクタ５２に対して２つのプラグコネクタアッセンブリ５４が設けられることから、アッセンブリ収容部Ｒ３を構成する部分の奥行き方向Ｄ１の両端面にそれぞれ１つずつ設けられている。
【００４５】
さらに、プラグハウジング５３には、レセプタクルコネクタユニット装置１００の後述する溝１０５ｂと係合可能なキー５３ｅが形成されている。キー５３ｅは、プラグコネクタユニット装置５０、またはプラグコネクタ装置５０Ａを、レセプタクルコネクタユニット装置１００にさし込む際に、プラグコネクタユニット装置５０またはプラグコネクタ装置５０Ａが所定の姿勢であるときに、レセプタクルコネクタユニット装置１００の溝１０５ｂに係合可能に構成されている。なお、ここで言う係合とは、キー５３ｅが、溝１０５ｂ内に収容されることである。換言すると、本実施形態では、キー５３ｅが溝１０５ｂに収容されることを、係合の一例としている。
【００４６】
キー５３ｅは、本実施形態では、一例として、プラグハウジング５３の外面の、一方の収容部Ｒ１を構成する部分の、奥行き方向Ｄ１で一方の端面の一部、及び、他方の収容部Ｒ１を構成する部分の、奥行き方向Ｄ１で一方の端面の一部に、それぞれ、１つずつ形成されている。キー５３ｅは、例えば、端面の他の部分に対して奥行き方向Ｄ１に突出する凸部により構成されている。キー５３ｅは、例えば、奥行き方向Ｄ１の平面視で、台形状に形成されている。
【００４７】
さらに、一方のキー５３ｅは、プラグハウジング５３の一方の収容部Ｒ１を構成する部分の奥行き方向Ｄ１の端面において、幅方向Ｗ１で一端側に位置している。他方のキー５３ｅは、プラグハウジング５３の他方の収容部Ｒ１を構成する部分の奥行き方向Ｄ１の端面において、幅方向Ｗ１で他端側に位置している。他端側に位置することの一例としては、キー５３ｅは、プラグハウジング５３の他方の収容部Ｒ１を構成する部分において、幅方向Ｗ１の他端部に位置している。なお、キー５３ｅのそれぞれの位置は、一例であり、上述の位置に限定されない。
【００４８】
複数のプラグコネクタアッセンブリ５４は、図８に示すように、一例として２つ設けられている。一方のプラグコネクタアッセンブリ５４は、一方のアッセンブリ収容部Ｒ３内に収容される。他方のプラグコネクタアッセンブリ５４は、他方のアッセンブリ収容部Ｒ３内に収容される。
【００４９】
プラグコネクタアッセンブリ５４は、複数の電極が設けられた基板５６と、アッセンブリ収容部Ｒ３内に固定され、基板５６の一部を収容可能なインシュレータ６０と、インシュレータ６０内に収容されて基板５６の電極に電気的に接続される複数のプラグコンタクト（第２のコンタクト）７０と、複数のプラグコンタクト７０を一体に固定する第１の固定部材８０と、インシュレータ６０内に収容されてインシュレータ６０に対して上下方向Ｈ１に移動可能に形成されるスライダ９０と、を有している。  
基板５６は、プローブ３に電気的に接続されている。
【００５０】
インシュレータ６０は、絶縁材料で形成されている。インシュレータ６０は、内部にスライダ９０を収容可能に、かつ、内部でスライダ９０が上下方向Ｈ１に移動可能に形成されている。
【００５１】
インシュレータ６０の内部には、スライダ９０を上下方向Ｈ１に移動可能に収容するスライダ収容部６１が形成されている。スライダ収容部６１は、インシュレータ６０の上端から上下方向Ｈ１に中途部までの範囲に構成されている。スライダ収容部６１の上方の開口を開口部６２とし、下方の開口を開口部６３とする。
【００５２】
スライダ収容部６１の内面６４のうち奥行き方向Ｄ１に沿う両面部６４ａにおいて開口部６３には、段部６５が形成されている。段部６５は、開口部６２から段部６５までの範囲に対して、スライダ収容部６１の内側に向かって突出している。
【００５３】
スライダ収容部６１において開口部６２から段部６５までの幅、つまりスライダ収容部６１の奥行き方向Ｄ１に沿う両面部６４ａ間の幅方向Ｗ１の距離は、スライダ９０を上下方向Ｈ１に移動可能な距離である。段部６５間の幅は、スライダ９０の幅よりも狭く設定されている。
【００５４】
スライダ９０は、スライダ収容部６１内に上下方向Ｈ１に移動可能に収容されている。スライダ９０は、例えば矩形状に形成される本体部９１と、本体部９１内に形成された基板受部９２と、を有している。
【００５５】
本体部９１は、スライダ収容部６１内に上下方向Ｈ１に移動可能に収容される。より具体的には、本体部９１の幅は、開口部６２から段部６５までの両面部６４ａ間の幅方向Ｗ１の距離と同じ長さ、または、若干短い。本体部９１の奥行き方向Ｄ１の長さは、例えば、スライダ収容部６１の奥行き方向Ｄ１の両端面間の距離と同じ長さ、または、若干短い。
【００５６】
本体部９１内には、基板５６の一部を収容する基板収容部９３が形成されている。基板収容部９３は、本体部９１を上下方向Ｈ１に貫通している。この為、本体部９１の上端面９４には、開口部９５が形成されている。本体部９１の下端面９６には、開口部９７が形成されている。開口部９７は、インシュレータ６０内に連通している。
【００５７】
基板受部９２は、基板収容部９３内に位置している。基板受部９２は、本体部９１に固定されており、インシュレータ６０に対して本体部９１と一体に移動する。
【００５８】
基板受部９２は、具体的には、開口部９７の近傍に位置している。基板受部９２は、奥行き方向Ｄ１に長い形状に構成される。基板受部９２は、例えば、奥行き方向Ｄ１の両端が本体部９１に固定されることにより、本体部９１に固定されている。基板受部９２は、基板収容部９３の奥行き方向Ｄ１に沿う両内面との間に隙間９８を有している。
【００５９】
プラグコンタクト７０は、インシュレータ６０内に、１つの基板５６に設けられる電極と同数設けられている。本実施形態では、基板５６の両主面５６ａのそれぞれに電極が設けられることから、インシュレータ６０の内面の奥行き方向Ｄ１に沿う面部のそれぞれに、複数のプラグコンタクト７０が設けられている。プラグコンタクト７０の表面には、導電率を向上するために、導電率が高い金属によってめっき処理が施されている。
【００６０】
プラグコンタクト７０は、インシュレータ６０の上端側から下端端側まで延びている。プラグコンタクト７０の下端部７１は、プラグコネクタユニット装置５０がレセプタクルコネクタユニット装置１００に挿入されて、後述する操作部１０３が操作されると、レセプタクルコネクタユニット装置１００のレセプタクルコンタクト１０６ａに接触することによってレセプタクルコンタクト１０６ａが電気的に接続される。
【００６１】
プラグコンタクト７０において、上下方向Ｈ１で下端部７１から段部６５までの部分は、インシュレータ６０の内面に、例えば平行に形成されている。プラグコンタクト７０の段部６５より上方の部分７２の一部は、スライダ９０の基板収容部９３内に収容される。さらに、部分７２において基板収容部９３内に収容される部分の一部は、基板収容部９３の内面と基板受部９２との間の隙間９８内に収容される。
【００６２】
部分７２は、スライダ９０が、インシュレータ６０の段部６５に当接する位置まで挿入された状態において、スライダ９０によって幅方向Ｗ１で基板受部９２側に付勢されることで基板５６の電極に押し付けられる形状に構成される。
【００６３】
部分７２は、一例として、スライダ９０の基板収容部９３の内面に向かって幅方向Ｗ１に突出する突出部７４と、幅方向Ｗ１で基板受部９２側に傾斜する傾斜部７５と、基板５６の電極に接続可能に形成されるリード接点部７６と、を有している。
【００６４】
突出部７４は、プラグコンタクト７０の一部が湾曲した形状に形成されることで構成されている。突出部７４は、スライダ９０の内面に接触可能に構成される。
【００６５】
なお、スライダ９０が上方の所定位置に移動されると、突出部７４がスライダ９０の下端より下方に配置される。この状態では、突出部７４は、スライダ９０の内面には当接しない。
【００６６】
傾斜部７５は、突出部７４に連続して形成されている。リード接点部７６は、傾斜部７５に連続して形成されている。傾斜部７５は、インシュレータ６０に対するスライダ９０のスライダ方向（上下方向Ｈ１）に対して傾斜しており、それゆえ、リード接点部７６は、突出部７４に対して、基板受部９２側に配置されている。
【００６７】
突出部７４が、スライダ９０の内面によって基板受部９２側に押圧されていない状態を、プラグコンタクト７０の初期状態とする。
【００６８】
傾斜部７５は、プラグコンタクト７０の初期状態では、基板受部９２に当接している。基板受部９２は、傾斜部７５に当接することによって、リード接点部７６の位置を、基板５６の軌道から離れた位置に位置決めする。
【００６９】
ここで言う基板５６の軌道とは、スライダ９０の開口部９５から基板受部９２までの範囲において、基板５６が基板受部９２に当接するまで移動する経路である。プラグコンタクト７０が初期状態にあるときにリード接点部７６が、基板５６の軌道から離れた位置にあることによって、基板５６を、開口部９５を通してスライダ９０内に収容する際に、基板５６の挿入先端および電極は、プラグコンタクト７０のリード接点部７６に接触しない。
【００７０】
または、傾斜部７５は、プラグコンタクト７０が初期状態にあるときに、基板受部９２に接触することによって、リード接点部７６を、リード接点部７６から基板５６に対して入力される押付力が所定の値以内となる位置に位置決めする形状に構成される。
【００７１】
この点について、具体的に説明する。リード接点部７６が基板５６に接触する位置に位置決められることによって、リード接点部７６は、基板５６がスライダ９０内に挿入される際に基板５６の先端に接触する。
【００７２】
リード接点部７６が基板５６の先端に接触することによってプラグコンタクト７０がたわむため、プラグコンタクト７０の弾性力によってリード接点部７６が基板５６の先端に押し付けられる。この押付力は、プラグコンタクト７０のたわみ量に比例して大きくなる。
【００７３】
上述の所定の値は、リード接点部７６の表面に施されためっきがはがれない範囲の最大の値である。つまり、所定の値を超えると、めっきがはがれる。所定の値は、実験などによって得ることができる。
【００７４】
第１の固定部材８０は、インシュレータ６０内に固定される。第１の固定部材８０は、例えば、外観が直方体となる形状に構成されている。第１の固定部材８０は、例えば、複数のプラグコンタクト７０とインサート成形される。第１の固定部材８０がインシュレータ６０内に固定されることにより、複数のプラグコンタクト７０が上述の通りインシュレータ６０内に固定される。
【００７５】
このように構成されたプラグコネクタ５２は、複数のプラグコンタクト７０が奥行き方向Ｄ１に並ぶ列を４つ有する。ここで、１つのプラグコネクタ５２の、プラグコンタクト７０が並ぶ列のうち、１つの列を構成する複数のプラグコンタクト７０を、第１のコンタクト群Ｌ１とし、他の１列を構成する複数のプラグコンタクト７０を、第２のコンタクト群Ｌ２とし、他の１列を構成する複数のプラグコンタクト７０を、第３のコンタクト群Ｌ３とし、他の１列を構成する複数のプラグコンタクト７０を、第４のコンタクト群Ｌ４とする。第１のコンタクト群Ｌ１、第２のコンタクト群Ｌ２、第３のコンタクト群Ｌ３、及び第４のコンタクト群Ｌ４は、幅方向Ｗ１に並ぶ。
【００７６】
次に、基板５６の電極とプラグコンタクト７０のリード接点部７６とを接続する作業について説明する。まず、スライダ９０を、各プラグコンタクト７０が初期状態となる位置に移動する。換言すると、スライダ９０の内面がプラグコンタクト７０の突出部７４を幅方向内側に付勢しない位置に移動する。さらに換言すると、スライダ９０を上方に移動する。
【００７７】
次に、作業者は、スライダ９０の開口部９５から基板５６を下方に挿入する。作業者は、基板受部９２に当接する位置まで基板５６を挿入すると、挿入作業を停止する。
【００７８】
スライダ９０が、プラグコンタクト７０が初期状態となる位置にある状態では、プラグコンタクト７０は、基板受部９２に当接することによって基板５６の軌道から離れた位置に位置決められている。
【００７９】
または、プラグコンタクト７０は、基板受部９２に当接することによって、基板５６に対する押圧力がプラグコンタクト７０の表面に施されためっきを剥がすことがない所定値以内となる位置に、位置決められている。このため、基板受部９２に当接するまで基板５６を挿入する際にプラグコンタクト７０が基板５６の先端に接触しても、プラグコンタクト７０の表面に施されためっきがはがれることが防止される。
【００８０】
次に、作業者は、基板５６が基板受部９２に当接した状態を維持しながら、スライダ９０を下方に、インシュレータ６０の段部６５に当接するまで移動する。スライダ９０が移動することによって、プラグコンタクト７０の傾斜部７５において基板受部９２の当接する位置が移動する。
【００８１】
プラグコンタクト７０の傾斜部７５において基板受部９２が当接する位置が移動することによって、基板受部９２によるプラグコンタクト７０のリード接点部７６の位置の規制、言い換えると、プラグコンタクト７０のリード接点部７６の基板５６の軌道から外れた位置への位置決め、または、プラグコンタクト７０のリード接点部７６から基板５６に入力される押圧力が所定値以内となる位置への位置決めが解除される。これは、傾斜部７５が、スライダ９０のスライダ方向に対して傾斜している為である。
【００８２】
この為、プラグコンタクト７０は、基板５６側に移動可能な状態となり、リード接点部７６が基板５６の電極に接触する。このように、基板受部９２は、基板５６を、リード接点部７６が電極に接続可能な位置に位置決めする機能を有している。
【００８３】
また、スライダ９０が下方に移動することによって、スライダ９０の開口部６３を構成する内面が、プラグコンタクト７０の突出部７４に当接する。突出部７４はスライダ９０の内面に当接することで、基板５６に向かって押圧される。このため、リード接点部７６から電極に入力される押圧力が増加する。
【００８４】
突出部７４及びスライダ９０の内面は、リード接点部７６から電極に入力される押圧力によって、リード接点部７６と電極との十分な接続強度が得られるように、形成されている。
【００８５】
スライダ９０が段部６５に当接するまで移動されると、スライダ９０の移動が停止される。作業者は、スライダ９０が段部６５に当接すると、ピン等の固定部材９９により、スライダ９０と基板５６とを一体に固定する。基板５６には、固定部材９９を配置可能な孔が形成されている。
【００８６】
基板５６を取り外す場合は、逆の動作をすることにより、少ない力で基板５６をスライダ９０から引き抜くことができる。  
次に、プラグコネクタ装置５０Ａについて説明する。プラグコネクタ装置５０Ａは、図１０に示すように、１つのプラグコネクタ５２を有する。プラグコネクタ装置５０Ａにおいて、プラグコネクタユニット装置５０と同様の機能を有する構成は、同一の符号を付して説明を省略する。
【００８７】
プラグコネクタ装置５０Ａは、プラグコネクタ装置５０Ａの外郭の一部を構成する外郭部材５１Ａと、プラグハウジング５３Ａと、２つのプラグコネクタアッセンブリ５４と、を有している。なお、本実施形態では、プラグコネクタ装置５０Ａは、プラグコネクタ５２の数が異なる点を除いて、プラグコネクタユニット装置５０と同様の構成を有している。この為、プラグコネクタ装置５０Ａの、上下、左右、奥行き方向は、プラグコネクタユニット装置５０と同様に設定される。
【００８８】
外郭部材５１Ａは、使用者がプラグコネクタ装置５０Ａをレセプタクルコネクタユニット装置１００に挿入する際に把持可能な部分である。外郭部材５１Ａは、上部が閉塞された筒状に形成されており、例えば矩形の筒状に形成されている。外郭部材５１Ａは、内部に１つのプラグコネクタ５２を収容する。
【００８９】
プラグハウジング５３Ａは、プラグハウジング５３のうち、１つのプラグコネクタ５２を構成する部分と同形状に構成される。換言すると、プラグハウジング５３Ａは、１つの収容部Ｒ１を有する形状に構成されている。
【００９０】
外郭部材５１Ａは、プラグコネクタ装置５０Ａがレセプタクルコネクタユニット装置１００に接続されたときに、レセプタクルコネクタユニット装置１００の一部を収容する。この一部は、レセプタクルコネクタユニット装置１００の後述するレセプタクルハウジング１０５の上端部である。
【００９１】
プラグコネクタ装置５０Ａがレセプタクルコネクタユニット装置１００に接続された状態では、プラグコネクタ装置５０Ａのプラグハウジング５３の下端部が、レセプタクルコネクタユニット装置１００のレセプタクルハウジング１０５内に収容される。この為、レセプタクルハウジング１０５の上端部が、外郭部材５１Ａ内に収容されることとなる。
【００９２】
外郭部材５１Ａの開口の近傍の内面は、プラグコネクタ装置５０Ａとの間に、隙間Ｓ２を有している。隙間Ｓ２は、レセプタクルコネクタユニット装置１００の一部が外郭部材５１内に収容されたときに、この一部を配置可能な隙間である。隙間Ｓ１は、隙間Ｓ２と同じ隙間である。
【００９３】
図１１に示すように、プラグハウジング５３Ａの外面のうち、奥行き方向Ｄ１の両端面には、突出部５３ｄが設けられている。突出部５３ｄは、端面に対して、奥行き方向Ｄ１に突出している。
【００９４】
突出部５３ｄは、１つのプラグコネクタアッセンブリ５４に対して、１つ設けられており、１つのプラグコネクタアッセンブリ５４に対して奥行き方向Ｄ１に並んでいる。本実施形態では、１つのプラグコネクタ装置５０Ａに対して２つのプラグコネクタアッセンブリ５４が設けられることから、アッセンブリ収容部Ｒ３を構成する部分の奥行き方向Ｄ１の両端面にそれぞれ１つずつ設けられている。
【００９５】
さらに、プラグハウジング５３Ａの外面には、キー５３ｅが形成されている。キー５３ｅは、プラグコネクタ装置５０Ａを、レセプタクルコネクタユニット装置１００の、上述の専用のレセプタクルコネクタ１０２のみに接続可能に構成される。
【００９６】
さらに、キー５３ｅは、このレセプタクルコネクタ１０２に接続する際に、プラグコネクタ装置５０Ａが所定の姿勢であるときに、レセプタクルコネクタユニット装置１００の溝１０５ｂに係合可能に構成されている。
【００９７】
キー５３ｅは、本実施形態では、一例として、プラグハウジング５３Ａの外面の奥行き方向Ｄ１で両端面のそれぞれに１つずつ形成されている。キー５３ｅは、例えば、端面の他の部分に対して奥行き方向Ｄ１に突出する凸部により構成されている。
【００９８】
また、プラグコネクタ装置５０Ａのキー５３ｅは、後述するレセプタクルコネクタユニット装置１００の専用のレセプタクルコネクタ１０２のレセプタクルハウジング１０５の溝１０５ｂに収容可能に形成されている。
【００９９】
図１及び図２に示すように、レセプタクルコネクタユニット装置１００は、一例として、４つ設けられている。レセプタクルコネクタユニット装置１００は、プラグコネクタユニット装置５０、及びプラグコネクタ装置５０Ａが接続可能に構成されている。
【０１００】
図１１乃至図１８に示すように、レセプタクルコネクタユニット装置１００は、一例として、ＺＩＦ（zero insertion force）式のレセプタクルコネクタである。
【０１０１】
図１１に示すように、レセプタクルコネクタユニット装置１００は、超音波診断装置本体２の基板６上に固定されている。レセプタクルコネクタユニット装置１００は、図２に示すように、筐体４の孔４ａを通して、外部に露出する。
【０１０２】
レセプタクルコネクタユニット装置１００は、図１１に示すように、基板６に固定された基部１０１と、基部１０１に固定された複数のレセプタクルコネクタ（第１のコネクタ）１０２と、レセプタクルコネクタユニット装置１００及びプラグコネクタユニット装置５０の電気的接続及び解除の際、又は、レセプタクルコネクタユニット装置１００及びプラグコネクタ装置５０Ａの電気的接続及び解除の際に操作される操作部１０３と、操作部１０３への入力を複数のレセプタクルコネクタ１０２のそれぞれに伝達する伝達部１０４と、を有している。
【０１０３】
レセプタクルコネクタユニット装置１００では、一例として、複数のレセプタクルコネクタ１０２が並ぶ方向を幅方向Ｗ２とし、幅方向Ｗ２に直交する一方向を奥行き方向Ｄ２とし、幅方向Ｗ２及び奥行き方向Ｄ２のそれぞれに直交する方向を上下方向Ｈ２とする。
【０１０４】
上下方向Ｈ２においては、プラグコネクタユニット装置５０またはプラグコネクタ装置５０Ａがレセプタクルコネクタユニット装置１００に接続されたときにレセプタクルコネクタユニット装置１００に対してプラグコネクタユニット装置５０またはプラグコネクタ装置５０Ａが位置する側を上とし、反対側を下とする。なお、レセプタクルコネクタユニット装置１００に設定された上述の各種方向は、一例である、限定されるものではない。
【０１０５】
基部１０１は、複数のレセプタクルコネクタ１０２を一体に固定する。基部１０１は、ねじ等の固定部材により、基板６に固定される。なお、本実施形態では、複数のレセプタクルコネクタ１０２を一体に固定する固定部の一例として、基部１０１が用いられている。
【０１０６】
複数のレセプタクルコネクタ１０２を一体に固定する固定部の他の例としては、隣接する２つのレセプタクルコネクタ１０２間に設けられ、これら隣接する２つのレセプタクルコネクタ１０２どうしを固定する固定部材が用いられてもよい。
【０１０７】
レセプタクルコネクタ１０２は、プラグコネクタユニット装置５０が有するプラグコネクタ５２と同数が設けられており、本実施形態では２つ設けられている。レセプタクルコネクタユニット装置１００が有する複数のレセプタクルコネクタ１０２のうちいずれか１つ（本実施形態では一方）は、プラグコネクタ装置５０Ａが接続されるに用いられるレセプタクルコネクタに設定されている。
【０１０８】
なお、プラグコネクタ装置５０Ａが接続されるレセプタクルコネクタ１０２は、プラグコネクタユニット装置５０が接続される際には、プラグコネクタユニット装置５０のプラグコネクタ５２が接続される。
【０１０９】
一方のレセプタクルコネクタ１０２には、プラグコネクタユニット装置５０の一方のプラグコネクタ５２が接続される。他方のレセプタクルコネクタ１０２には、他方のプラグコネクタ５２が接続される。また、一方のレセプタクルコネクタ１０２は、プラグコネクタ装置５０Ａが接続される。
【０１１０】
レセプタクルコネクタ１０２は、基部１０１に固定されたレセプタクルハウジング１０５と、レセプタクルコンタクトアッセンブリ１０６と、シャフトカバー１０７と、第１のシャフトアッセンブリ１１０と、第２のシャフトアッセンブリ１２０と、を有している。
【０１１１】
レセプタクルハウジング１０５は、プラグハウジング５３の一部を内部に配置可能な筒状に形成されている。レセプタクルハウジング１０５は、例えば矩形の筒状、すなわち外観が直方体状となる筒状に形成されている。
【０１１２】
なお、本実施形態では、レセプタクルハウジング１０５は、一例として、基部１０１と一体に形成されている。換言すると、レセプタクルコネクタユニット装置１００が有する２つのレセプタクルコネクタ１０２のそれぞれのレセプタクルハウジング１０５は、基部１０１と一体に形成されており、基部１０１と合わせて１つの部品として構成されている。
【０１１３】
図５及び図１０に示すように、プラグコネクタ装置５０Ａが接続されるレセプタクルコネクタ１０２と、このレセプタクルコネクタ１０２に隣接する他のレセプタクルコネクタ１０２との間の隙間Ｓ３は、プラグコネクタ装置５０Ａを、レセプタクルコネクタ１０２に接続可能な隙間に設定されている。
【０１１４】
換言すると、レセプタクルコネクタユニット装置１００が有する複数のレセプタクルコネクタ１０２のうちいずれか２つの間のギャップは、このいずれか２つのうち一方にプラグコネクタ装置５０Ａを接続可能な距離に設定されている。
【０１１５】
この点について具体的に説明する。プラグコネクタ装置５０Ａは、外郭部材５１Ａを有する。そして、レセプタクルコネクタ１０２の上部は、外郭部材５１Ａ内に収容される。この為、２つのレセプタクルコネクタ１０２の間には、外郭部材５１Ａの側壁部の一部が収容されることとなる。
【０１１６】
この為、隙間Ｓ３は、プラグコネクタ装置５０Ａのプラグコネクタ５２がレセプタクルコネクタ１０２に接続された状態で、外郭部材５１Ａの側壁部の一部を配置可能な隙間に設定される。
【０１１７】
なお、レセプタクルコネクタ１０２が３つ以上用いられる構成の場合は、プラグコネクタ装置５０Ａが接続されるレセプタクルコネクタ１０２に隣接するレセプタクルコネクタ１０２、及びこのレセプタクルコネクタ１０２に隣接するレセプタクルコネクタの間の隙間は、隙間Ｓ３に設定される必要はない。
【０１１８】
レセプタクルハウジング１０５の内部空間は、図１７及び図１８に示すように、仕切壁部１０５ａによって、幅方向Ｗ２に２つに仕切られている。さらに、仕切られた２つの空間部は、それぞれ、後述するレセプタクルコンタクトアッセンブリ１０６が収容可能な収容部Ｒ４に構成されている。換言すると、仕切られた２つの空間部の内面などにより、レセプタクルコンタクトアッセンブリ１０６が収容可能な収容部Ｒ４に構成されている。
【０１１９】
さらに、レセプタクルハウジング１０５は、プラグコネクタユニット装置５０及びプラグコネクタ装置５０Ａのそれぞれが、所定の姿勢で挿入されたときに、それぞれのキー５３ｅを収容する溝１０５ｂが形成されている。
【０１２０】
換言すると、プラグコネクタユニット装置５０及びプラグコネクタ装置５０Ａは、レセプタクルコネクタユニット装置１００に対して予め設定された所定の姿勢で挿入されると、キー５３ｅが溝１０５ｂに収容されることで、最後まで挿入される。さらに換言すると、プラグコネクタユニット装置５０及びプラグコネクタ装置５０Ａは、所定の姿勢とは異なる姿勢でレセプタクルコネクタ１０２に対して挿入されると、キー５３ｅがレセプタクルハウジング１０５に干渉することにより、最後まで挿入されない。
【０１２１】
なお、ここで言う最後まで挿入されるとは、レセプタクルコネクタユニット装置１００の複数のレセプタクルコンタクト１０６ａ（第１のコンタクト）が、プラグコネクタユニット装置５０のプラグコンタクト７０、またはプラグコネクタ装置５０Ａのプラグコンタクト７０に接触可能となる位置まで挿入されることである。
【０１２２】
溝１０５ｂは、例えば、レセプタクルハウジング１０５の上端から下方に向かって所定長さを有する溝状に構成される。上述のように、プラグコネクタユニット装置５０に形成された２つのキー５３ｅのうち一方のキー５３ｅは、プラグハウジング５３の一方の収容部Ｒ１を構成する部分の外面において幅方向Ｗ１で一端部に配置され、他方のキー５３ｅは、プラグハウジング５３の他方の収容部Ｒ１を構成する部分の外面において幅方向Ｗ１で他端部に配置された。
【０１２３】
この為、一方のレセプタクルハウジング１０５に形成された溝１０５ｂは、幅方向Ｗ２で一端部に配置される。他方のレセプタクルハウジング１０５に形成された溝１０５ｂは、幅方向Ｗ２で他端部に配置される。
【０１２４】
このように、複数のレセプタクルコネクタ１０２のうち、プラグコネクタ装置５０Ａが接続される特定のレセプタクルコネクタ１０２に形成された溝１０５ｂのレセプタクルハウジング１０５に対する位置と、他のレセプタクルコネクタ１０２のレセプタクルハウジング１０５に対する溝１０５ｂの位置を異なる位置にすることにより、他のレセプタクルコネクタ１０２にプラグコネクタ装置５０Ａが接続されることが防止される。
【０１２５】
仕切壁部１０５ａは、レセプタクルハウジング１０５の幅方向Ｗ２の中央部に位置しており、レセプタクルハウジング１０５の奥行き方向Ｄ２に延びている。仕切壁部１０５ａは、その奥行き方向Ｄ２の両端が、例えば、レセプタクルハウジング１０５の内面に固定されている。プラグコネクタユニット装置５０がレセプタクルコネクタユニット装置１００に固定された状態では、幅方向Ｗ１，Ｗ２は、平行となる。
【０１２６】
図１３に示すように、レセプタクルコンタクトアッセンブリ１０６は、１つのプラグコネクタ５２が有するプラグコネクタアッセンブリ５４と同数が設けられている。  
レセプタクルコンタクトアッセンブリ１０６は、プラグコネクタユニット装置５０の複数のプラグコンタクト７０に電気的に接続される複数のレセプタクルコンタクト１０６ａと、これら複数のレセプタクルコンタクト１０６ａを一体に固定する第２の固定部材１０６ｂと、を有している。
【０１２７】
複数のレセプタクルコンタクト１０６ａは、１つのプラグコネクタアッセンブリ５４のプラグコンタクト７０が２列に配置されていることから、２列に並んだ状態で配置されている。レセプタクルコンタクト１０６ａにより構成される列は直線状の列である。レセプタクルコンタクト１０６ａは、金属等の導電性材料から例えば屈曲した線状に形成されている。
【０１２８】
第２の固定部材１０６ｂは、複数のレセプタクルコンタクト１０６ａを一体に固定している。第２の固定部材１０６ｂは、絶縁材料から形成されており、例えば複数のレセプタクルコンタクト１０６ａがインサート成形されている。複数のレセプタクルコンタクト１０６ａの下端部は、第２の固定部材１０６ｂの下側に位置している。複数のレセプタクルコンタクト１０６ａの下端部は、基板６の回路６ａに電気的に接続されている。
【０１２９】
このように、１つのレセプタクルコンタクトアッセンブリ１０６は、複数のレセプタクルコンタクト１０６ａにより構成された列を、２列有する。ここで、一方のレセプタクルコンタクトアッセンブリ１０６の一方の列を構成する複数のレセプタクルコンタクト１０６ａを、第５のコンタクト群Ｌ５とし、他方の列を構成する複数のレセプタクルコンタクト１０６ａを、第６のコンタクト群Ｌ６とする。
【０１３０】
他方のレセプタクルコンタクトアッセンブリ１０６の一方の列を構成する複数のレセプタクルコンタクト１０６ａを、第７のコンタクト群Ｌ７とし、他方の列を構成する複数のレセプタクルコンタクト１０６ａを、第８のコンタクト群Ｌ８とする。  
第５のコンタクト群Ｌ５、第６のコンタクト群Ｌ６、第７のコンタクト群Ｌ７、及び第８のコンタクト群Ｌ８は、幅方向Ｗ２に並ぶ。
【０１３１】
図１７及び図１８に示すように、一方のレセプタクルコンタクトアッセンブリ１０６は、コンタクト群Ｌ５，Ｌ６がレセプタクルハウジング１０５の奥行き方向Ｄ２に沿う姿勢で、一方の収容部Ｒ４内に配置されている。他方のレセプタクルコンタクトアッセンブリ１０６は、コンタクト群Ｌ７，Ｌ８がレセプタクルハウジング１０５の奥行き方向Ｄ２に沿う姿勢で、他方の収容部Ｒ４内に配置されている。  
両レセプタクルコンタクトアッセンブリ１０６は、例えばレセプタクルハウジング１０５に固定されている。
【０１３２】
第５のコンタクト群Ｌ５及び第６のコンタクト群Ｌ６の上端部は、プラグコネクタユニット装置５０がレセプタクルコネクタユニット装置１００内に挿入されると、第１のコンタクト群Ｌ１及び第２のコンタクト群Ｌ２のプラグコンタクト７０の下端部の間に配置される。
【０１３３】
第５のコンタクト群Ｌ５を構成する複数のレセプタクルコンタクト１０６ａは、第１のコンタクト群Ｌ１を構成する複数のプラグコンタクト７０に、第１のシャフトアッセンブリ１１０により、選択的に接触される。第６のコンタクト群Ｌ６を構成する複数のレセプタクルコンタクト１０６ａは、第２のコンタクト群Ｌ２を構成する複数のプラグコンタクト７０に、第１のシャフトアッセンブリ１１０により、選択的に接触される。
【０１３４】
具体的には、本実施形態では、第５のコンタクト群Ｌ５を構成する複数のレセプタクルコンタクト１０６ａの上端部は、プラグコネクタユニット装置５０がレセプタクルコネクタユニット装置１００に挿入された状態において、第１のコンタクト群Ｌ１を構成する複数のプラグコンタクト７０の下端部に対して幅方向Ｗ１，Ｗ２に対向しており、かつ、この下端部との間に隙間を有している。第５のコンタクト群Ｌ５を構成する複数のレセプタクルコンタクト１０６ａは、第１のシャフトアッセンブリ１１０が回転することにより、第１のシャフトアッセンブリ１１０に付勢されて幅方向外側に向かって変位するように変形し、上端部が第１のコンタクト群Ｌ１を構成する複数のプラグコンタクト７０の下端部に接触する。
【０１３５】
第６のコンタクト群Ｌ６を構成する複数のレセプタクルコンタクト１０６ａの上端部は、プラグコネクタユニット装置５０がレセプタクルコネクタユニット装置１００に挿入された状態において、第２のコンタクト群Ｌ２を構成する複数のプラグコンタクト７０の下端部に幅方向Ｗ１に対向しており、かつ、この下端部との間に隙間を有している。
【０１３６】
第６のコンタクト群Ｌ６を構成する複数のレセプタクルコンタクト１０６ａは、第１のシャフトアッセンブリ１１０が回転することにより、第１のシャフトアッセンブリ１１０に付勢されて幅方向外側に変位するように変形し、上端部が第２のコンタクト群Ｌ２を構成する複数のプラグコンタクト７０の下端部に接触する。
【０１３７】
第７のコンタクト群Ｌ７及び第８のコンタクト群Ｌ８のそれぞれの上端部は、プラグコネクタユニット装置５０がレセプタクルコネクタユニット装置１００内に挿入されると、第３のコンタクト群Ｌ３及び第４のコンタクト群Ｌ４のそれぞれの下端部間に配置される。
【０１３８】
第７のコンタクト群Ｌ７を構成する複数のレセプタクルコンタクト１０６ａは、第３のコンタクト群Ｌ３を構成する複数のプラグコンタクト７０に、第２のシャフトアッセンブリ１２０により、選択的に接触される。第８のコンタクト群Ｌ８を構成する複数のレセプタクルコンタクト１０６ａは、第４のコンタクト群Ｌ４を構成する複数のプラグコンタクト７０に、第２のシャフトアッセンブリ１２０により、選択的に接触される。
【０１３９】
具体的には、本実施形態では、第７のコンタクト群Ｌ７を構成する複数のレセプタクルコンタクト１０６ａの上端部は、プラグコネクタユニット装置５０がレセプタクルコネクタユニット装置１００に挿入された状態において、第３のコンタクト群Ｌ３を構成する複数のプラグコンタクト７０の下端部に幅方向Ｗ１，Ｗ２に対向しており、かつ、この下端部との間に隙間を有している。第７のコンタクト群Ｌ７を構成する複数のレセプタクルコンタクト１０６ａは、第２のシャフトアッセンブリ１２０が回転することにより、第２のシャフトアッセンブリ１２０に付勢されて幅方向外側に変位するように変形し、上端部が第３のコンタクト群Ｌ３を構成する複数のプラグコンタクト７０の下端部に接触する。
【０１４０】
第８のコンタクト群Ｌ８を構成する複数のレセプタクルコンタクト１０６ａの上端部は、プラグコネクタユニット装置５０がレセプタクルコネクタユニット装置１００に挿入された状態において、第４のコンタクト群Ｌ４を構成する複数のプラグコンタクト７０の下端部に幅方向Ｗ１，Ｗ２に対向しており、かつ、この下端部との間に隙間を有している。第８のコンタクト群Ｌ８を構成する複数のレセプタクルコンタクト１０６ａは、第２のシャフトアッセンブリ１２０が回転することにより、第２のシャフトアッセンブリ１２０に付勢されて幅方向外側に変形し、上端部が第４のコンタクト群Ｌ４を構成する複数のプラグコンタクト７０の下端部に接触する。
【０１４１】
シャフトカバー１０７は、図１３に示すように、２つのレセプタクルコンタクトアッセンブリ１０６の上端部に設けられている。シャフトカバー１０７は、それぞれのレセプタクルコンタクトアッセンブリ１０６の複数のレセプタクルコンタクト１０６ａの上端部が露出することを防止可能に、かつ、上述のように第１のシャフトアッセンブリ１１０及び第２のシャフトアッセンブリ１２０によりレセプタクルコンタクト１０６ａが変形されたときには、複数のレセプタクルコンタクト１０６ａの上端部がプラグコンタクト７０に接触するべく外部に露出可能に、形成されている。
【０１４２】
シャフトカバー１０７は、具体的には、複数のレセプタクルコンタクト１０６ａの上端部を内側に配置している。また、シャフトカバー１０７は、複数の溝が形成されており、シャフトアッセンブリ１１０，１２０により複数のレセプタクルコンタクト１０６ａが変形されると、複数のレセプタクルコンタクト１０６ａがこの溝を通してシャフトカバー１０７の外側に出る。
【０１４３】
シャフトカバー１０７は、レセプタクルハウジング１０５内に固定されている。シャフトカバー１０７は、例えば、図１７及び図１８に示すように、レセプタクルハウジング１０５の奥行き方向Ｄ２に沿う内側面に形成された段部に当接するまでレセプタクルハウジング１０５内に挿入される。シャフトカバー１０７は、段部に当接することにより位置決めされる。シャフトカバー１０７は、図１２に示すように、ねじ等の固定部材１０７ａにより、レセプタクルハウジング１０５に固定される。なお、本実施形態では、固定部材１０７ａは、一例として、ねじ、及び、シャフトカバー１０７上に載置されてねじによりシャフトカバー１０７に一体に固定される部材を有する。
【０１４４】
また、シャフトカバー１０７は、第１のシャフトアッセンブリ１１０の一部、及び第２のシャフトアッセンブリ１２０の一部を覆う。
【０１４５】
第１のシャフトアッセンブリ１１０は、図１７及び図１８に示すように、第５のコンタクト群Ｌ５及び第６のコンタクト群Ｌ６の間に配置されている。第１のシャフトアッセンブリ１１０は、図１６に示すように、シャフト１１１と、シャフト１１１に設けられたカム１１２と、シャフト１１１に設けられた２つの歯車１１３と、シャフト１１１に設けられた、プラグハウジング５３の突出部５３ｄに係合可能な２つのフック１１４と、を有している。
【０１４６】
一方の歯車１１３は、シャフト１１１の一端部に、シャフト１１１と一体に回転可能に固定されている。他方の歯車１１３は、シャフト１１１の中途部に、シャフト１１１と一体に回転可能に固定されている。
【０１４７】
本実施形態では、シャフト１１１の断面は、例えば多角形に形成されている。シャフト１１１は、本実施形態では、その一例として断面が略矩形となる棒状に形成されている。歯車１１３は、その内部にシャフト１１１が嵌まる矩形の孔が形成されている。この孔にシャフト１１１が嵌まることにより、歯車１１３はシャフト１１１と一体に回転可能に、シャフト１１１に固定される。歯車１１３は、シャフト１１１にその軸方向にも固定されている。なお、歯車１１３の固定手段は、これに限定されない。
【０１４８】
カム１１２は、シャフト１１１において一方の歯車１１３と他方の歯車１１３との間の部分に設けられている。カム１１２は、シャフト１１１と一体に回転可能にシャフト１１１に固定されている。
【０１４９】
フック１１４は、シャフト１１１において、一方の歯車１１３とカム１１２との間、及び他方の歯車１１３とカム１１２と間の部分のそれぞれに、１つずつ固定されており、突出部５３ｄに係合可能に形成されている。フック１１４は、突出部５３ｄを配置可能な溝１１５を有している。
【０１５０】
図１９は、プラグコネクタユニット装置５０をレセプタクルコネクタユニット装置１００に接続する際のフック１１４の動きを模式的に示す説明図である。なお、フック１１４の動作をわかりやすく示すために、図１９中では、プラグハウジング５３の一部を２点鎖線で示しており、突出部５３ｄを実線で示している。また、フック１１４の動作をわかりやすく示すために、図１９では、第１のシャフトアッセンブリ１１０は、１つのフック１１４の近傍で、シャフト１１１の軸方向に直交する断面に沿って切断した状態を示しており、カム１１２や歯車１１３などの他の構成は省略している。
【０１５１】
上述したように、かつ、図１９に示すように、突出部５３ｄは、プラグコネクタユニット装置５０の奥行き方向Ｄ１の両端面に２つずつ設けられている。突出部５３ｄは、プラグコネクタユニット装置５０のレセプタクルコネクタユニット装置１００への挿入方向（上下方向Ｈ１）に平行な方向に、第１のシャフトアッセンブリ１１０のシャフト１１１に対向する位置に位置している。
【０１５２】
フック１１４は、プラグコネクタユニット装置５０が図１８に示すようにレセプタクルコネクタユニット装置１００内に最後まで挿入された状態で第１のシャフトアッセンブリ１１０が回転されると、第１のシャフトアッセンブリ１１０と一体に回転することにより溝１１５内に突出部５３ｄを収容する。
【０１５３】
フック１１４は、レセプタクルコンタクト１０６ａがプラグコンタクト７０に接触する状態では、突出部５３ｄを溝１１５内に配置しており、プラグコネクタユニット装置５０をレセプタクルコネクタユニット装置１００から引き抜こうとしても、プラグコンタクト７０とレセプタクルコンタクト１０６ａとの接触が解除されることを防止可能に形成されている。
【０１５４】
なお、フック１１４が、図１９示すように溝１１５内に突出部５３ｄを配置する位置にあるときに、フック１１４と突出部５３ｄとの間に若干の隙間があってよいし、または、なくてもよい。隙間がない場合は、プラグコネクタユニット装置５０は、レセプタクルコネクタユニット装置１００に対して相対的に移動しない。隙間がある場合は、この隙間分、プラグコネクタユニット装置５０は、レセプタクルコネクタユニット装置１００に対して移動可能となる。本実施形態では、フック１１４において、溝１１５内に突出部５３ｄが配置されてプラグコネクタユニット装置５０をレセプタクルコネクタユニット装置１００から抜け出ることを防止する位置を、係合位置とする。
【０１５５】
このように構成された第１のシャフトアッセンブリ１１０では、一方の歯車１１３は、図１３に示すように、レセプタクルハウジング１０５内において第５のコンタクト群Ｌ５及び第６のコンタクト群Ｌ６の奥行き方向Ｄ２の一端に配置されたレセプタクルコンタクト１０６ａよりも、シャフト１１１の軸方向に外側に位置し、他方の歯車１１３はレセプタクルハウジング１０５内において第５のコンタクト群Ｌ５及び第６のコンタクト群Ｌ６の奥行き方向Ｄ２の他端に配置されたレセプタクルコンタクト１０６ａよりもシャフト１１１の軸方向に外側に位置する。
【０１５６】
この為、第１のシャフトアッセンブリ１１０が回転すると、カム１１２は、コンタクト群Ｌ５，Ｌ６の全てのレセプタクルコンタクト１０６ａを押圧することにより変形させることが可能となる。また、第１のシャフトアッセンブリ１１０の両歯車１１３は、レセプタクルハウジング１０５内に配置されている。
【０１５７】
なお、一方の第１のシャフトアッセンブリ１１０は、シャフト１１１の歯車１１３が設けられていない端部に、後述する操作部１０３が設けられる為、他方の歯車１１３がシャフト１１１の軸方向の中途部に設けられた。この、操作部１０３が設けられるシャフト１１１の一部は、レセプタクルハウジング１０５の溝１０５ｂ内に配置される。
【０１５８】
操作部１０３が設けられるシャフト１１１は、レセプタクルコネクタユニット装置１００が有する第１のシャフトアッセンブリ１１０及び第２のシャフトアッセンブリ１２０のうち、これらが並ぶ方向に一端に配置される。
【０１５９】
換言すると、溝１０５ｂは、プラグコネクタユニット装置５０のキー５３ｅ、または、プラグコネクタ装置５０Ａのキー５３ｅを収容する機能と、シャフト１１１の一部を収容する機能とを有する。さらに換言すると、溝１０５ｂを、キー５３ｅが収容される溝としても利用する構成にしている。
【０１６０】
他方の第１のシャフトアッセンブリ１１０は、本実施形態では、操作部１０３が設けられない。この為、この他方の第１のシャフトアッセンブリ１１０のシャフト１１１は、歯車１１３に対して歯車１１３の軸方向にカム１１２と反対側に延びる必要がない。換言すると、この他方の第１のシャフトアッセンブリ１１０では、シャフト１１１の両端部に歯車１１３が設けられる。
【０１６１】
第２のシャフトアッセンブリ１２０は、図１７及び図１８に示すように、第７のコンタクト群Ｌ７及び第８のコンタクト群Ｌ８の間に配置されている。第２のシャフトアッセンブリ１２０は、第１のシャフトアッセンブリ１１０と同様に形成されている。第２のシャフトアッセンブリ１２０は、具体的には、シャフト１１１と、カム１１２と、２つの歯車１１３と、を有している。なお、第２のシャフトアッセンブリ１２０のシャフト１１１は、第１のシャフトアッセンブリ１１０のシャフト１１１よりも短い。第２のシャフトアッセンブリ１２０では、歯車１１３は、シャフト１１１の両端部に、シャフト１１１と一体に回転可能に固定されている。
【０１６２】
このように構成された第２のシャフトアッセンブリ１２０では、一方の歯車１１３は、第７のコンタクト群Ｌ７及び第８のコンタクト群Ｌ８のそれぞれの奥行き方向Ｄ２の一端に配置されたレセプタクルコンタクト１０６ａよりもシャフト１１１の軸方向に外側に位置し、他方の歯車１１３は第７のコンタクト群Ｌ７及び第８のコンタクト群Ｌ８のそれぞれの奥行き方向Ｄの他端に配置されたレセプタクルコンタクト１０６ａよりもシャフト１１１の軸方向に外側に位置する。
【０１６３】
カム１１２は、少なくとも、シャフト１１１の軸方向に、第７のコンタクト群Ｌ７及び第８のコンタクト群Ｌ８のそれぞれの奥行き方向Ｄ２の一端に配置されたレセプタクルコンタクト１０６ａから他端に配置されたレセプタクルコンタクト１０６ａまで延びる長さを有している。この為、第２のシャフトアッセンブリ１２０が回転すると、カム１１２は、コンタクト群Ｌ７，Ｌ８の全てのレセプタクルコンタクト１０６ａを押圧して変形させることが可能となる。
【０１６４】
また、第２のシャフトアッセンブリ１２０の両歯車１１３は、レセプタクルハウジング１０５内に配置されている。第２のシャフトアッセンブリ１２０の一方の歯車１１３は、第１のシャフトアッセンブリ１１０の一方の歯車１１３に噛み合っている。第２のシャフトアッセンブリ１２０の他方の歯車１１３は、第１のシャフトアッセンブリ１１０の他方の歯車１１３に噛み合っている。
【０１６５】
この、第１のシャフトアッセンブリ１１０の歯車１１３と第２のシャフトアッセンブリ１２０の歯車１１３との噛み合いにより、第１のシャフトアッセンブリ１１０と第２のシャフトアッセンブリ１２０とは、一体に回転する。
【０１６６】
なお、第１のシャフトアッセンブリ１１０のカム１１２と、第２のシャフトアッセンブリ１２０のカム１１２と、は、同じタイミングでレセプタクルコンタクト１０６ａを押圧し、かつ、同じタイミングでレセプタクルコンタクト１０６ａに対する押圧が解除される形状に形成されている。
【０１６７】
操作部１０３は、図１２に示すように、複数のレセプタクルコネクタ１０２のうち、幅方向Ｗ２の一端に配置されたレセプタクルコネクタ１０２に設けられている。本実施形態では、操作部１０３は、一方のレセプタクルコネクタ１０２に設けられている。
【０１６８】
さらに、操作部１０３は、レセプタクルコネクタ１０２が複数のシャフトアッセンブリを有する場合は、幅方向Ｗ２に一端に配置されたシャフトアッセンブリに設けられる。本実施形態では、操作部１０３は、第１のシャフトアッセンブリ１１０のシャフト１１１の他端部に設けられている。
【０１６９】
さらに、操作部１０３が設けられたシャフト１１１を有するレセプタクルコネクタ１０２は、プラグコネクタ装置５０Ａが接続されるレセプタクルコネクタである。
【０１７０】
なお、上述の通り、本実施形態では一方の第１のシャフトアッセンブリ１１０のシャフト１１１は、他方の第１のシャフトアッセンブリ１１０のシャフト１１１に比較して長い形状に構成されており、このシャフト１１１の端部に操作部１０３が設けられる。この為、シャフト１１１が他方に比較して長い形状に構成された第１のシャフトアッセンブリ１１０が、幅方向Ｗ２の一端に配置される。
【０１７１】
操作部１０３は、例えばレバーである。操作部１０３が操作されることにより、第１のシャフトアッセンブリ１１０が、その中心軸回りに回転される。操作部１０３は、シャフト１１１の軸方向に直交する方向に延びる形状に構成される。
【０１７２】
操作部１０３が操作されることによって、第５のコンタクト群Ｌ５が第１のコンタクト群Ｌ１に接触し、第６のコンタクト群Ｌ６が第２のコンタクト群Ｌ２に接触し、第７のコンタクト群Ｌ７が第３のコンタクト群Ｌ３の接触し、かつ、第８のコンタクト群Ｌ８が第４のコンタクト群Ｌ４に接触する。また、接触状態を解除するべく操作部１０３を操作することにより、第５のコンタクト群Ｌ５及び第１のコンタクト群Ｌ１の接触が解除され、第６のコンタクト群Ｌ６及び第２のコンタクト群Ｌ２の接触が解除され、第７のコンタクト群Ｌ７及び第３のコンタクト群Ｌ３の接触が解除され、かつ、第８のコンタクト群Ｌ８及び第４のコンタクト群Ｌ４の接触が解除される。
【０１７３】
伝達部１０４は、操作部１０３が設けられた第１のシャフトアッセンブリ１１０の回転を、他の全てのレセプタクルコネクタ１０２に伝達可能に構成される。伝達部１０４は、例えば、図１２に示すように、操作部１０３が設けられたシャフト１１１の回転を、他方のレセプタクルコネクタ１０２の第１のシャフトアッセンブリ１１０のシャフト１１１、または第２のシャフトアッセンブリ１２０のシャフト１１１に伝達可能に構成されている。
【０１７４】
この構成により、操作部１０３が設けられたシャフト１１１が、操作部１０３の操作に起因して回転されると、この回転は、当該シャフト１１１に歯車１１３により係合された第２のシャフトアッセンブリ１２０のシャフト１１１に伝達される。さらに、他方のいずれかのシャフト１１１に回転が伝達されることにより、この回転が伝達されたシャフト１１１に歯車１１３により連結された他方のシャフト１１１も回転される。
【０１７５】
本実施形態では、伝達部１０４は、一例として、操作部１０３と、レセプタクルハウジング１０５との間に配置されている。伝達部１０４は、図１２及び図１４に示すように、例えば複数の歯車を有している。
【０１７６】
伝達部１０４は、具体的には、操作部１０３が設けられたシャフト１１１に固定された第１の歯車１０４ａと、他方のレセプタクルコネクタ１０２の第２のシャフトアッセンブリ１２０のシャフト１１１に固定された第２の歯車１０４ｂと、第１の歯車１０４ａ及び第２の歯車１０４ｂに噛み合う第３の歯車１０４ｃと、を有している。
【０１７７】
なお、第２の歯車１０４ｂが固定された第２のシャフトアッセンブリ１２０のシャフト１１１は、伝達部１０４が設置される位置まで延びている。第２の歯車１０４ｂが設けられたシャフト１１１の一部は、レセプタクルハウジング１０５の溝１０５ｂに配置される。
【０１７８】
本実施形態では、上述の通り、第１の歯車１０４ａが第１のシャフトアッセンブリ１１０のシャフト１１１に固定され、第２の歯車１０４ｂが、他方のレセプタクルコネクタ１０２の第２のシャフトアッセンブリ１２０のシャフト１１１に固定されることから、第１の歯車１０４ａの回転方向、及び第２の歯車１０４ｂの回転方向は互いに逆方向となる必要がある。この為、第３の歯車１０４ｃは、２つ用いられている。
【０１７９】
これら、第１の歯車１０４ａ、第２の歯車１０４ｂ、及び２つの第３の歯車１０４ｃは、幅方向Ｗ２に並んでいる。また、伝達部１０４は、基板収容部９３内に収容される。基板収容部９３は、例えば複数の部材から構成され、一例としては、基部１０１と一体に形成されたケース１０１ａと、蓋１０１ｂと、を有している。
【０１８０】
このように構成されたレセプタクルコネクタユニット装置１００では、操作部１０３を操作することにより、図１８に示すように、レセプタクルコネクタユニット装置１００の全ての第１のシャフトアッセンブリ１１０及び第２のシャフトアッセンブリ１２０が、一体に回転される。
【０１８１】
次に、プラグコネクタユニット装置５０及びプラグコネクタ装置５０Ａを、レセプタクルコネクタユニット装置１００に接続する作業について、説明する。作業者は、プラグコネクタユニット装置５０をレセプタクルコネクタユニット装置１００に接続する際には、プラグコネクタユニット装置５０の２つのキー５３ｅを、レセプタクルハウジング１０５の２つの溝１０５ｂｅに対向させて、プラグコネクタユニット装置５０をレセプタクルコネクタユニット装置１００にさし込む。
【０１８２】
具体的には、プラグコネクタユニット装置５０の一方のプラグコネクタ５２を、レセプタクルコネクタユニット装置１００の一方のレセプタクルコネクタ１０２にさし込み、他方のプラグコネクタ５２を、他方のレセプタクルコネクタ１０２にさし込む。
【０１８３】
このとき、キー５３ｅが溝１０５ｂに対向することにより、図２０に示すように、キー５３ｅが溝１０５ｂ内に収容されるので、プラグコネクタユニット装置５０をレセプタクルコネクタユニット装置１００に最後までさし込むことが可能となる。
【０１８４】
プラグコネクタ装置５０Ａをレセプタクルコネクタユニット装置１００にさし込む際には、プラグコネクタ装置５０Ａのプラグコネクタ５２のキー５３ｅを、レセプタクルコネクタユニット装置１００の一方のレセプタクルコネクタ１０２の溝１０５ｂに対向させる。この一方のレセプタクルコネクタ１０２は、プラグコネクタ装置５０Ａのプラグコネクタ５２が接続可能に設定されたレセプタクルコネクタである。
【０１８５】
具体的には、回路６ａは、このレセプタクルコネクタ１０２に対してプラグコネクタ装置５０Ａのプラグコネクタ５２が接続したときに、このプラグコネクタ５２と制御部５との間での信号の送受信を可能に構成されている。
【０１８６】
プラグコネクタ装置５０Ａのプラグコネクタ５２のキー５３ｅがレセプタクルコネクタ１０２の溝１０５ｂに収容されることで、プラグコネクタ装置５０Ａのプラグコネクタ５２を、レセプタクルコネクタユニット装置１００のレセプタクルコネクタ１０２に最後までさし込むことが可能となる。
【０１８７】
プラグコネクタユニット装置５０、または、プラグコネクタ装置５０Ａをレセプタクルコネクタユニット装置１００にさし込む際に、プラグコネクタユニット装置５０、及びプラグコネクタ装置５０Ａを、レセプタクルコネクタユニット装置１００に対して所定の姿勢以外の姿勢とすると、図２１に示すように、キー５３ｅがレセプタクルハウジング１０５に干渉する。
【０１８８】
具体的に説明すると、例えば、プラグコネクタユニット装置５０をレセプタクルコネクタユニット装置１００に挿入する際に、プラグコネクタユニット装置５０を、キー５３ｅがレセプタクルハウジング１０５の溝１０５ｂが形成された一端に対して奥行き方向Ｄ２で反対側の端部に対向する姿勢でレセプタクルコネクタユニット装置１００にさし込むと、キー５３ｅが、レセプタクルハウジング１０５の上縁、すなわち溝１０５ｂ以外の部分に干渉する。
【０１８９】
この干渉により、プラグコネクタユニット装置５０をレセプタクルコネクタユニット装置１００に最後までさし込むことができない。
【０１９０】
プラグコネクタ装置５０Ａを、例えば、レセプタクルコネクタユニット装置１００の、プラグコネクタ装置５０Ａが接続不能に設定されたレセプタクルコネクタ１０２にさし込むと、キー５３ｅと溝１０５ｂとが、幅方向Ｗ２でずれた位置に配置されることから、キー５３ｅがレセプタクルハウジング１０５の溝１０５ｂ以外の部分に干渉する。
【０１９１】
この干渉により、プラグコネクタ装置５０Ａを、レセプタクルコネクタユニット装置１００に最後までさし込むことができない。
【０１９２】
このように構成されたレセプタクルコネクタユニット装置１００は、複数のレセプタクルコネクタ１０２を有している。この為、超音波診断装置本体２とプローブ３との間での大量の情報の送受信を行うことが可能となる。
【０１９３】
さらに、１つのレセプタクルコネクタユニット装置１００を基板６に搭載する作業で、複数のレセプタクルコネクタ１０２を基板６に搭載することが可能となる。この為、複数のレセプタクルコネクタ１０２を基板６に搭載する作業の効率を向上できる。
【０１９４】
さらに、レセプタクルコネクタユニット装置１００が有する複数のレセプタクルコネクタ１０２のうち、隣接するいずれか２つのレセプタクルコネクタ１０２の間には、１つのプラグコネクタ５２を有するプラグコネクタ装置５０Ａをさし込み可能な隙間が設けられている。
【０１９５】
本実施形態では、隣接する２つのレセプタクルコネクタ１０２の間の隙間は、図１０に示すように、プラグコネクタ装置５０Ａの外郭部材５１の厚みより大きく、外郭部材５１の一部を配置可能な隙間に設定されている。
【０１９６】
この為、レセプタクルコネクタユニット装置１００は、複数のプラグコネクタ５２を有するプラグコネクタユニット装置５０、及び、１つのプラグコネクタ５２を有するプラグコネクタ装置５０Ａの両方を、選択的に、接続することが可能となる。
【０１９７】
換言すると、複数のプラグコネクタ５２を有するプラグコネクタユニット装置５０に加えて、従来の、１つのプラグコネクタ５２を有するプラグコネクタ装置５０Ａを使用することが可能となる。
【０１９８】
このように、レセプタクルコネクタユニット装置１００が有する複数のレセプタクルコネクタ１０２のうち、特定の１つのレセプタクルコネクタユニット装置１００に設けられる溝１０５ｂのレセプタクルハウジング１０５に対する位置を、他のレセプタクルコネクタ１０２の溝１０５ｂのレセプタクルハウジングに対する位置と異なる位置にすることにより、本実施形態では、幅方向Ｗ２での位置を異なる位置にすることにより、複数のレセプタクルコネクタ１０２のうち特定の１つを、プラグコネクタ装置５０Ａが接続される専用のレセプタクルコネクタにしている。
【０１９９】
なお、上述のように、プラグコネクタ装置５０Ａに設けられるキー５３ｅは、この特定のレセプタクルコネクタ１０２の溝１０５ｂに収容可能に構成されている。
【０２００】
この為、作業者は、予め設定されたレセプタクルコネクタ１０２以外のレセプタクルコネクタ１０２にはプラグコネクタ装置５０Ａを接続することができない。
【０２０１】
さらに、プラグコネクタ装置５０Ａが接続可能なレセプタクルコネクタ１０２が構造的に決定されているので、制御部５は、複数のレセプタクルコネクタ１０２のうち、プラグコネクタ装置５０Ａが接続されたレセプタクルコネクタ１０２を検出する作業を行う必要がない。さらに、検出する作業を行う機能を回路６ａに持たせる必要もないので、回路６ａの構成を簡素にすることが可能となる。
【０２０２】
さらに、レセプタクルコネクタユニット装置１００は、伝達部１０４により、作業者による操作部１０３の操作を、複数のレセプタクルコネクタ１０２のそれぞれに伝達することが可能となる。この為、レセプタクルコネクタユニット装置１００の複数のレセプタクルコネクタ１０２のそれぞれと、プラグコネクタ５２との電気的接続、及び当該接続の解除作業を効率よく行うことが可能となる。
【０２０３】
さらに、伝達部１０４は、複数の歯車を有する構成であるので、簡素な構成とすることが可能となる。
【０２０４】
さらに、操作部１０３は、複数のレセプタクルコネクタ１０２のうち、幅方向Ｗ２の一端に配置されたレセプタクルコネクタ１０２の、幅方向Ｗ２の一端に配置された第１のシャフトアッセンブリ１１０のシャフト１１１に固定されている。
【０２０５】
この為、操作部１０３としてレバーを用いた構成において、操作部１０３の幅方向Ｗ２の長さを、レセプタクルコネクタユニット装置１００の幅方向一端から他端までの延ばすことにより、レセプタクルコネクタユニット装置１００の設置面積が大きくなることを防止しつつ、操作部１０３の長さを長くすることが可能となる。操作部１０３の長さを長くすることにより、作業者は、操作部１０３を少ない力で操作することが可能となる。
【０２０６】
なお、本実発明は、上述の実施形態に限定されるものではない。本実施形態では、レセプタクルコネクタユニット装置１００は、基部１０１を有しているが、これに限定されない。複数のレセプタクルコネクタ１０２どうしが一体に固定されればよい。
【０２０７】
さらに、本実施形態では、レセプタクルコネクタユニット装置１００は、一例として、２つのレセプタクルコネクタ１０２を有している。しかしながら、レセプタクルコネクタ１０２の数は、２つに限定されるものではない。レセプタクルコネクタ１０２の数は、複数であればよく、コネクタシステム１０が用いられる装置（本実施形態では一例として超音波診断装置１）に応じて、適宜決定される。
【０２０８】
さらに、本実施形態では、プラグコネクタユニット装置５０、及びプラグコネクタ装置５０Ａのそれぞれに形成される第１の係合部の一例としてキー５３ｅが用いられ、レセプタクルコネクタユニット装置１００に設けられる、第１の係合部に係合可能な第２の係合部の一例として溝１０５ｂが用いられた。そして、キー５３ｅが溝１０５ｂに収容されることを、第１の係合部及び第２の係合部が係合することの一例とした。
【０２０９】
しかしながら、プラグコネクタユニット装置５０、またはプラグコネクタ装置５０Ａが、レセプタクルコネクタユニット装置１００に対して所定の姿勢であるときに係合する第１の係合部及び第２の係合部は、キー５３ｅ、及び溝１０５ｂに限定されない。
【０２１０】
例えば、第２の係合部は、溝ではなく、キー５３ｅを収容可能な、奥行く方向Ｄ２に凹む凹みであってもよい。または、第１の係合部として溝や凹みが形成され、第２の係合部として、この溝や凹みに収容されるキー等の突部が形成されてもよい。
【０２１１】
要するに、第１の係合部及び第２の係合部は、プラグコネクタユニット装置５０またはプラグコネクタ装置５０Ａが、レセプタクルコネクタユニット装置１００に対して所定の姿勢でない状態であると、互いに係合せずに、プラグコネクタユニット装置５０またはプラグコネクタ装置５０Ａを、レセプタクルコネクタユニット装置１００にさし込む不能となる構造に構成されればよい。
【０２１２】
さらに、第１の係合部及び第２の係合部は、プラグコネクタ装置５０Ａが複数のレセプタクルコネクタ１０２のうち特定のレセプタクルコネクタ１０２に接続されたときのみ、互いに係合する構造に構成されればよい。
【０２１３】
さらに、本実施形態では、伝達部１０４は、操作部１０３が設けられたシャフト１１１に固定された第１の歯車１０４ａと、他方のレセプタクルコネクタ１０２の第２のシャフトアッセンブリ１２０のシャフト１１１に固定された第２の歯車１０４ｂと、第１の歯車１０４ａ及び第２の歯車１０４ｂの間に配置された２つの第３の歯車１０４ｃと、を有している。
【０２１４】
しかしながら、伝達部１０４の構成は、これに限定されない。例えば、伝達部１０４は、第３の歯車１０４ｃを備えない構成であってもよい。この場合は、第１の歯車１０４ａは、第２の歯車１０４ｂに噛み合う。または、第３の歯車１０４ｃの数は、２つに限定されない。他の例では、１であってもよい。
【０２１５】
さらに、本実施形態では、本発明で言うコネクタユニット装置の一例として、レセプタクルコネクタユニット装置１００を説明した。しかしながら、本発明のコネクタユニット装置は、レセプタクルコネクタ装置１００のみに限定されない。例えば、本発明は、プラグコネクタユニット装置５０に適用されてもよい。この場合では、キー５３ｅが、本発明で言う第１の係合部となり、溝１０５ｂが本発明で言う第２の係合部となる。プラグハウジング５３が、複数のプラグコネクタ５２を一体に固定する固定部としての機能も有する。さらに、２つのプラグコネクタ５２の間に隙間が設けられる。この隙間は、１つのレセプタクルコネクタ１０２のみを接続可能とする隙間に設定される。
【０２１６】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０２１７】
１…超音波診断装置、２…超音波診断装置本体、３…プローブ、１０…コネクタシステム、５０…プラグコネクタユニット装置、５０Ａ…プラグコネクタ装置（第２のコネクタ装置）、５１…外郭部材、５１Ａ…外郭部材、５２…プラグコネクタ、５３…プラグハウジング、５３Ａ…プラグハウジング、５３ａ…外郭体、５３ｂ…第１の仕切壁部、５３ｃ…第２の仕切壁部、５３ｄ…突出部、５３ｅ…キー（第１の係合部）、５４…プラグコネクタアッセンブリ、５６…基板、６０…インシュレータ、６１…スライダ収容部、６５…段部、７０…プラグコンタクト、７１…下端部、７２…部分、７３…屈曲部、７４…突出部、７５…傾斜部、７６…リード接点部、９０…スライダ、９１…本体部、９２…基板受部、９３…基板収容部、１００…レセプタクルコネクタユニット装置（コネクタユニット装置）、１０１…基部（固定部）、１０２…レセプタクルコネクタ（第１のコネクタ）、１０３…操作部、１０４…伝達部、１０４ａ…第１の歯車、１０４ｂ…第２の歯車、１０４ｃ…第３の歯車、１０５…レセプタクルハウジング、１０５ｂ…溝（第１の係合部）、１０６…レセプタクルコンタクトアッセンブリ、１０６ａ…レセプタクルコンタクト、１１０…第１のシャフトアッセンブリ、１１１…シャフト、１１２…カム、１１３…歯車、１２０…第２のシャフトアッセンブリ。
【図１】
2019220392.tif 000003
【図２】
2019220392.tif 000004
【図３】
2019220392.tif 000005
【図４】
2019220392.tif 000006
【図５】
2019220392.tif 000007
【図６】
2019220392.tif 000008
【図７】
2019220392.tif 000009
【図８】
2019220392.tif 000010
【図９】
2019220392.tif 000011
【図１０】
2019220392.tif 000012
【図１１】
2019220392.tif 000013
【図１２】
2019220392.tif 000014
【図１３】
2019220392.tif 000015
【図１４】
2019220392.tif 000016
【図１５】
2019220392.tif 000017
【図１６】
2019220392.tif 000018
【図１７】
2019220392.tif 000019
【図１８】
2019220392.tif 000020
【図１９】
2019220392.tif 000021
【図２０】
2019220392.tif 000022
【図２１】
2019220392.tif 000023